(57)【要約】【課題】簡易かつ小型な構成で、同一波長の光ビームを用いる複数種類の光ディスクに対応した光ピックアップを実現する。【解決手段】光ビーム及び反射光ビームの光路内に第１の立上ミラー３７を挿入又は退避させて、対物レンズ２８Ａ及び２８Ｂに対する光路を切り替えるようにしたことにより、光ビームの利用効率を高めることができるとともに、レンズホルダ４５に対する光ビームの導入方向を対物レンズの配列と同方向入射として当該レンズホルダ４５の剛性を高めることができ、さらに、対物レンズ２８Ａ及び２８Ｂをタンジェンシャル配列することで光ディスク装置全体を小型化することができる。【選択図】図６
2008130183.tif 000002
【特許請求の範囲】
【請求項１】
光ビームを出射する光源と、
第１の種別の光ディスクに対応した第１の対物レンズと、
第２の種別の光ディスクに対応した第２の対物レンズと、
上記光源から出射された上記光ビームを反射して上記第１の対物レンズに導光する立上ミラーと、
上記立上ミラーを移動させることにより上記光源から出射された上記光ビームを上記第２の対物レンズに導光させるミラー駆動手段と
を具えることを特徴とする光ピックアップ。
【請求項２】
上記光源から出射された上記光ビームを反射して上記第２の対物レンズに導光する第２の立上ミラーを具え、
上記ミラー駆動手段は、使用する上記光ディスクの種別に応じて、上記立上ミラーを、上記光源と上記第２の立上ミラーとの間の上記光ビームの光路内に挿入又は退避させることにより、当該光源から出射された当該光ビームを上記第１の対物レンズ又は上記第２の対物レンズに導光する
ことを特徴とする請求項１に記載の光ピックアップ。
【請求項３】
上記ミラー駆動手段は、使用する上記光ディスクの種別に応じて、上記立上ミラーを上記第１の対物レンズの光軸上に移動させることにより、上記光源から出射された上記光ビームを当該第１の対物レンズに導光するか、当該立上ミラーを上記第２の対物レンズの光軸上に移動させることにより、当該光源から出射された当該光ビームを当該第２の対物レンズに導光する
ことを特徴とする請求項１に記載の光ピックアップ。
【請求項４】
上記第１及び第２の対物レンズは、上記光ディスクの半径方向に対して直角に配列されている
ことを特徴とする請求項１に記載の光ピックアップ。
【請求項５】
上記第１及び第２の対物レンズに対し、上記光源からの光ビームを上記光ディスクの半径方向に対して直角な方向から導光する
ことを特徴とする請求項１に記載の光ピックアップ。
【請求項６】
光ビームを出射する光源と、
第１の種別の光ディスクに対応した第１の対物レンズと、
第２の種別の光ディスクに対応した第２の対物レンズと、
上記光源から出射された上記光ビームを反射して上記第１の対物レンズに導光する立上ミラーと、
上記立上ミラーを移動させることにより上記光源から出射された上記光ビームを上記第２の対物レンズに導光させるミラー駆動手段と
を具えることを特徴とする光ディスク装置。
【発明の詳細な説明】
【技術分野】
【０００１】
本発明は光ピックアップ及び光ディスク装置に関し、例えば複数種類の光ディスクに対応した光ピックアップに適用して好適なものである。
【背景技術】
【０００２】
近年、波長が４０５[nm]の青色レーザを用いたブルーレイディスク（登録商標、以下ＢＤとも呼ぶ）が実用化されている。ブルーレイディスクは従来の光ディスクに比べて格段に短い波長のレーザを用いていることから、同じディスク径でなるＤＶＤの数倍の記録容量を有している。そして、従来のＣＤ（Compact Disk）やＤＶＤ（Digital Versatile Disk）と共にこのブルーレイディスクも使用できるようになされた３波長対応の光ディスクドライブも提案されている（例えば、特許文献１参照）。
【特許文献１】特開２００６−１３４４７４公報
【発明の開示】
【発明が解決しようとする課題】
【０００３】
ところで、青色レーザを用いる大容量の光ディスクとしては、上述したブルーレイディスクの他にもＨＤ−ＤＶＤと呼ばれる規格が実用化されている。そして、光ディスク装置においてブルーレイディスク及びＨＤ−ＤＶＤを共に使用できれば、より利便性が高まると考えられる。
【０００４】
しかしながらＨＤ−ＤＶＤは、ブルーレイディスクと同じ波長（４０５[nm]）のレーザ光を用いるものの、ディスクのカバー層の厚さや対物レンズの開口数に相違があるため、ブルーレイディスク及びＨＤ−ＤＶＤ共用の対物レンズを設計することは困難である。従って、ブルーレイディスク及びＨＤ−ＤＶＤの双方に対応する光ピックアップには、ブルーレイディスク専用の対物レンズ及びＨＤ−ＤＶＤ専用の対物レンズを設ける必要がある。
【０００５】
一方、上述したようにブルーレイディスク用のレーザ光及びＨＤ−ＤＶＤ用のレーザ光はどちらも波長４０５[nm]の青色レーザ光であるから、これら２つのレーザ光を共通のレーザ光源から出射するようにすれば、光ピックアップを簡素化及び小型化、さらには低コスト化できると考えられる。
【０００６】
ここで、このような２つの対物レンズを有する構成の光ピックアップでは、これら２つの対物レンズを光ディスクの半径方向（ラジアル方向）に並べて配列する方法（この配列をラジアル配列と呼ぶ）と、光ディスクの半径に直角方向（タンジェンシャル方向）に並べて配列する方法（この配列をタンジェンシャル配列と呼ぶ）の、２通りの対物レンズ配列が考えられる。
【０００７】
すなわち図１は、対物レンズをラジアル配列した光ピックアップ１を示し、２つの対物レンズ３及び４が、光ディスク１００のラジアル方向に並べて配列した状態でレンズホルダ２に搭載されている。一方図２は、対物レンズをタンジェンシャル配列した光ピックアップ１を示し、２つの対物レンズ３及び４が、光ディスク１００のタンジェンシャル方向に並べて配列した状態でレンズホルダ２に搭載されている。そしてレンズホルダ２全体が、図示しない２軸アクチュエータによってフォーカス方向及びトラッキング方向（すなわちラジアル方向）へ駆動される。
【０００８】
また、対物レンズ３及び４に光ビームを導入する方向についても、光ディスク１００のラジアル方向から入射する方法（この入射方向をラジアル入射と呼ぶ）と、光ディスク１００のタンジェンシャル方向から入射する方法（この入射方向をタンジェンシャル入射と呼ぶ）の２通りが考えられる。
【０００９】
ここで、光ピックアップ１のスレッド移動に伴うスペースの余裕や光ディスク装置全体の部品配置、光ディスク装置の薄型化を考慮すると、対物レンズに対する光ビームの入射方向はタンジェンシャル入射とすることが望ましい。
【００１０】
一方、レンズホルダ２には光ビームを対物レンズに導くための開口部を設ける必要があるが、図３（Ａ）に示すように対物レンズ３及び４の配列方向と直角方向から光ビームを入射する構成（これを直角入射と呼ぶ）では、光ビーム２本分の光学的有効径に相当する開口部２Ａを設ける必要があるのに対し、図３（Ｂ）に示すように対物レンズ３及び４の配列方向と同方向から光ビームを入射する構成（これを同方向入射と呼ぶ）では、光ビーム１本分の光学的有効径に相当する開口部２Ａを設ければ良く、直角入射の場合に比べて開口部２Ａの開口面積が小さくなってレンズホルダ２の剛性が向上するという利点がある。
【００１１】
さらには、対物レンズを図１に示したようなラジアル配列とした場合、内周側の対物レンズ１１を用いて光ディスク１００の最内周にアクセスする際や、外周側の対物レンズ８を用いて光ディスク１００の最外周にアクセスする際には、図２に示したようなタンジェンシャル配列の場合と比べて光ピックアップ１のスレッド移動ストロークを確保するため、光ピックアップ１のラジアル方向の大きさに制限が生じるという問題があり、光ピックアップ１の対物レンズ配列は、図２に示したタンジェンシャル配列とすることが望ましい。
【００１２】
こうした観点からすると、光ピックアップ１の構成としては、対物レンズをタンジェンシャル配列とするとともに、光ビームをタンジェンシャル入射とする（すなわち同方向入射）ことが最適であると考えられる。
【００１３】
図４は、このような同方向入射の光ピックアップ１の構成例を示し、光ビームの光源として、ブルーレイディスク（以下、ＢＤとも呼ぶ）及びＨＤ−ＤＶＤに共通の波長４０５[nm]でなるレーザ光を出射するレーザダイオード５を有している。
【００１４】
レーザダイオード５は、図示しない制御部から供給される駆動電流に応じた光量で光ビームを出射し、回折素子６に入射する。回折素子６はレーザダイオード５からの光ビームを回折し、記録及び再生用の０次光でなるメインビームとトラッキング制御用の±１次光でなる２本のサブビームとに分岐してコリメータレンズ７に入射する。
【００１５】
コリメータレンズ７は、入射した発散光でなる光ビーム（メインビーム及び２本のサブビーム）を平行光に変換し、偏光制御素子８に入射する。この偏光制御素子８は、例えば液晶光学素子でなり、２枚の透明なカバーの間に液晶を封入して構成されている。そして、２枚のカバーの内面にはそれぞれ透明電極が設けられており、当該透明電極間に電圧を印加することにより液晶分子の配列方向を変化させて、当該偏光制御素子８を通過する光の偏光方向を変化させることができる。
【００１６】
ブルーレイディスク１００Ａに対する記録又は再生の際、光ディスク装置の制御部（図示せず）は、偏光制御素子８を透過する光がＰ偏光になるよう、当該偏光制御素子８への印加電圧を制御する。これにより、偏光制御素子８から出射される光ビームはＰ偏光の状態で偏光ビームスプリッタ９に入射する。
【００１７】
偏光ビームスプリッタ９の偏光光学膜面は、Ｐ偏光を反射するとともにＳ偏光を透過するようにその光学的特性が定められている。これにより偏光ビームスプリッタ９は、Ｐ偏光でなる光ビーム（メインビーム及び２本のサブビーム）を９０°反射して１／４波長板１０に入射する。１／４波長板１０は偏光ビームスプリッタ９からの光ビームをＰ偏光から円偏光へと変換して、対物レンズ３に入射する。
【００１８】
対物レンズ３は、ブルーレイディスクに適応した焦点距離及び開口数を有しており、入射した光ビームを集光して、ブルーレイディスク１００Ａの記録面に合焦させるとともに、当該記録面で反射された反射光ビームを受光し、１／４波長板１０に再入射させる。
【００１９】
１／４波長板１０は、反射光ビームを円偏光から往路とは直交するＳ偏光へと変換し、偏光ビームスプリッタ９に入射する。
【００２０】
上述したように偏光ビームスプリッタ９の偏光光学膜面は、Ｐ偏光を反射するとともにＳ偏光を透過するよう光学的特性が定められていることから、当該偏光ビームスプリッタ９はＳ偏光でなる反射光ビームを透過し、集光レンズ１３を介して光検出器１４に照射する。
【００２１】
そして光検出器１４は、ブルーレイディスク１００Ａからの反射光ビーム（メイン反射ビーム及び２本のサブ反射ビーム）の光量に応じて再生信号やエラー信号等の各種検出信号を生成し、光ディスク装置の信号処理部（図示せず）に出力する。
【００２２】
一方、ＨＤ−ＤＶＤ１００Ｂに対する記録又は再生の際、光ディスク装置の制御部（図示せず）は、偏光制御素子８を透過する光がＳ偏光になるよう、当該偏光制御素子８への印加電圧を制御する。これにより、偏光制御素子８から出射される光ビームはＳ偏光の状態で偏光ビームスプリッタ９に入射する。
【００２３】
上述したように偏光ビームスプリッタ９の偏光反射面は、Ｐ偏光を反射するとともにＳ偏光を透過するよう光学的特性が定められているため、当該偏光ビームスプリッタ９は、Ｓ偏光でなる光ビーム（メインビーム及び２本のサブビーム）を透過し、立上ミラー１１を介して１／４波長板１２に入射する。１／４波長板１２は立上ミラー１１からの光ビームをＳ偏光から円偏光へと変換して、対物レンズ４に入射する。
【００２４】
対物レンズ４は、ＨＤ−ＤＶＤに適応した焦点距離及び開口数を有しており、入射した光ビームを集光してＨＤ−ＤＶＤ１００Ｂの記録面に合焦させるとともに、当該記録面で反射された反射光ビームを受光し、１／４波長板１２に再入射させる。
【００２５】
１／４波長板１２は、反射光ビームを円偏光から往路とは直交するＰ偏光へと変換し、立上ミラー１１を介して偏光ビームスプリッタ９に入射する。偏光ビームスプリッタ９の偏光光学膜面は、Ｐ偏光を透過するとともにＳ偏光を反射するよう光学的特性が定められていることから、当該偏光ビームスプリッタ９はＰ偏光でなる反射光ビームを反射し、集光レンズ１３を介して光検出器１４に照射する。
【００２６】
かくしてこの光ピックアップ１は、レーザダイオード５から出射された光ビームの偏光方向を偏光制御素子８によって制御することにより、装着された光ディスク１００の種別に対応した対物レンズ３又は４を用いて記録又は再生を行う。
【００２７】
ところがこのような構成の光ピックアップ１では、偏光制御素子８によって光ビームの偏光方向を制御し、偏光ビームスプリッタ９を用いて対物レンズ３又は４に対する光路切替を行っているため、光ビームの利用効率が低いという問題があった。
【００２８】
本発明は以上の点を考慮してなされたもので、簡易かつ小型な構成で、高い光ビームの利用効率を有する、同一波長の光ビームを用いる複数種類の光ディスクに対応した光ピックアップ及び光ディスクドライブを提案しようとするものである。
【課題を解決するための手段】
【００２９】
かかる課題を解決するため本発明の光ピックアップイにおいては、光ビームを出射する光源と、第１の種別の光ディスクに対応した第１の対物レンズと、第２の種別の光ディスクに対応した第２の対物レンズと、光源から出射された光ビームを反射して第１の対物レンズに導光する立上ミラーと、当該立上ミラーを移動させることにより光源から出射された光ビームを第２の対物レンズに導光させるミラー駆動手段とを光ピックアップに設けた。
【００３０】
ミラー駆動手段によって立上ミラーを移動させて、光源から出射された光ビームを第１又は第２の対物レンズに切り替えて導光することにより、偏光方向を制御して光路切替を行う方法に比べて光ビームの利用効率を従来に比して高めることができるとともに、第１及び第２の対物レンズを保持するレンズホルダに対する光ビームの導入方向を、対物レンズの配列と同方向入射として当該レンズホルダの剛性を高めることができ、さらに、第１及び第２の対物レンズをタンジェンシャル配列するとともにレンズホルダに対して光ビームをタンジェンシャル入射することで、光ピックアップを小型化することができる。
【００３１】
また本発明の光ディスク装置においては、光ビームを出射する光源と、第１の種別の光ディスクに対応した第１の対物レンズと、第２の種別の光ディスクに対応した第２の対物レンズと、光源から出射された光ビームを反射して第１の対物レンズに導光する立上ミラーと、当該立上ミラーを移動させることにより光源から出射された光ビームを第２の対物レンズに導光させるミラー駆動手段とを光ディスク装置に設けた。
【００３２】
ミラー駆動手段によって立上ミラーを移動させて、光源から出射された光ビームを第１又は第２の対物レンズに切り替えて導光することにより、偏光方向を制御して光路切替を行う方法に比べて光ビームの利用効率を従来に比して高めることができるとともに、第１及び第２の対物レンズを保持するレンズホルダに対する光ビームの導入方向を、対物レンズの配列と同方向入射として当該レンズホルダの剛性を高めることができ、さらに、第１及び第２の対物レンズをタンジェンシャル配列するとともにレンズホルダに対して光ビームをタンジェンシャル入射することで、光ディスク装置を小型化することができる。
【発明の効果】
【００３３】
本発明によれば、ミラー駆動手段によって立上ミラーを移動させて、光源から出射された光ビームを第１又は第２の対物レンズに切り替えて導光することにより、偏光方向を制御して光路切替を行う方法に比べて光ビームの利用効率を従来に比して高めることができるとともに、第１及び第２の対物レンズを保持するレンズホルダに対する光ビームの導入方向を、対物レンズの配列と同方向入射として当該レンズホルダの剛性を高めることができ、さらに、第１及び第２の対物レンズをタンジェンシャル配列するとともにレンズホルダに対して光ビームをタンジェンシャル入射することで、光ディスク装置を小型化することができ、かくして、簡易かつ小型な構成で、高い光ビームの利用効率を有する、同一波長の光ビームを用いる複数種類の光ディスクに対応した光ピックアップ及び光ディスクドライブを実現することができる。
【発明を実施するための最良の形態】
【００３４】
以下、図面について、本発明の一実施の形態を詳述する。   
【００３５】
（１）光ディスク装置の全体構成
図５において、２０は本発明を適用した光ディスク装置を示し、ブルーレイディスク及びＨＤ−ＤＶＤの２方式の光ディスク１００を再生し得るようになされている。
【００３６】
この光ディスク装置２０は、制御部２１によって全体を統括制御するようになされており、光ディスク１００が装填された状態で、図示しない外部機器からの再生指示等を受け付けると、当該制御部２１から駆動部２２及び信号処理部２３を制御することにより、当該光ディスク１００に記録された情報を読み出すようになされている。
【００３７】
実際上、駆動部２２は制御部２１の制御に基づき、スピンドルモータ２４により光ディスク１００を所望の回転速度で回転させ、スレッドモータ２５により光ピックアップ２６を光ディスク１００の径方向であるトラッキング方向へ大きく移動させ、さらに２軸アクチュエータ２７により対物レンズユニット２８を光ディスク１００に対して近接又は離隔させる方向であるフォーカス方向及びトラッキング方向の２方向へそれぞれ細かく移動させる。
【００３８】
これと並行して信号処理部２３は、光ピックアップ２６により対物レンズユニット２８から光ビームを光ディスク１００の所望トラックに対して照射させ、その反射光の検出結果を基に再生信号を生成し、制御部２１を介してこの再生信号を図示しない外部機器へ送出させる。
【００３９】
このとき光ピックアップ２６は、装着された光ディスク１００の種別に応じた対物レンズ２８Ａ又は２８Ｂ（図６）を用いて出射光ビームを集光し、当該光ディスク１００の記録層に焦点を合致させて照射するとともに、当該合焦記録層で反射された反射光ビームを光検出器で受光して光電変換し、各種検出信号を生成して信号処理部２３に供給する。
【００４０】
駆動部２２は、信号処理部２３から供給されるフォーカスエラー信号やトラッキングエラー信号に基づいて２軸アクチュエータ２７を駆動する。また信号処理部２３は、光ピックアップ２６から供給される再生信号に対して所定の信号処理を施した後、制御部２１を介して外部に出力する。
【００４１】
（２）光ピックアップの構成
図６に示すように光ピックアップ２６は、光ビームの光源として、ブルーレイディスク及びＨＤ−ＤＶＤに共通の波長４０５[nm]でなるレーザ光を出射するレーザダイオード３１を有している。なお、この図６は図示しない光ディスク側から光ピックアップ２６を見下ろした状態を示している。
【００４２】
回折素子３２は、レーザダイオード３１からの光ビームを回折し、記録及び再生用の０次光でなるメインビームとトラッキング制御用の±１次光でなる２本のサブビームとに分岐して１／２波長板３３に入射する。１／２波長板３３は、入射した光ビームの偏光方向を所定方向（この場合Ｐ偏光）に変化させ、偏光ビームスプリッタ３４に入射する。
【００４３】
偏光ビームスプリッタ３４の偏光光学膜面３４Ａは、Ｐ偏光を反射するとともにＳ偏光を透過するようにその光学的特性が定められている。これにより偏光ビームスプリッタ９は、Ｐ偏光でなる光ビーム（メインビーム及び２本のサブビーム）を９０°反射してコリメータレンズ３５に入射する。コリメータレンズ３５は、入射した発散光でなる光ビーム（メインビーム及び２本のサブビーム）を平行光に変換し、第１の立上ミラー３７の方向に出射する。
【００４４】
この第１の立上ミラー３７はミラー駆動部３９に搭載されている。そしてミラー駆動部３９は、駆動部２２を介した制御部２１（図５）の制御に応じて回動し、第１の立上ミラー３７を、コリメータレンズ３５からの光ビームの光路内に挿入するか、あるいは当該光路から退避させるようになされている。
【００４５】
ブルーレイディスクに対する記録又は再生の際、光ディスク装置２０の制御部２１（図５）は、第１の立上ミラー３７が光ビームの光路内に位置するようミラー駆動部３９を制御する。これにより、光ピックアップ２６を側方から見た図７に示すように、コリメータレンズ３５からの光ビームは第１の立上ミラー３７によって反射されて上方（すなわちブルーレイディスク１００Ａ方向）に立ち上げられ、１／４波長板３８に入射する。
【００４６】
１／４波長板３８は、第１の立上ミラー３７からの光ビームをＰ偏光から円偏光へと変換して、ブルーレイディスク用の対物レンズ２８Ａに入射する。
【００４７】
この対物レンズ２８Ａは、ブルーレイディスクに適応した焦点距離及び開口数を有しており、入射した光ビームを集光して、ブルーレイディスク１００Ａの記録面に合焦させるとともに、当該記録面で反射された反射光ビームを受光し、１／４波長板３８に再入射させる。
【００４８】
１／４波長板３８は、反射光ビームを円偏光から往路とは直交するＳ偏光へと変換し、第１の立上ミラー３７を介してコリメータレンズ３５に入射する。コリメータレンズ３５は、反射光ビームを平行光から収束光へと変換し、偏光ビームスプリッタ３４に入射する。
【００４９】
上述したように、偏光ビームスプリッタ３４の偏光光学膜面３４Ａ（図６）は、Ｐ偏光を反射するとともにＳ偏光を透過するようにその光学的特性が定められていることから、偏光ビームスプリッタ９は、Ｓ偏光でなる反射光ビームを透過し、フォーカスエラー信号を生成するためのマルチレンズ４３を介して光検出器４４に照射する。
【００５０】
そして光検出器４４は、ブルーレイディスク１００Ａからの反射光ビームの光量に応じて再生信号やエラー信号等の各種検出信号を生成し、光ディスク装置２０の信号処理部２３（図４）に出力する。
【００５１】
これに対して、ＨＤ−ＤＶＤに対する記録又は再生の際、光ディスク装置２０の制御部２１（図５）は、第１の立上ミラー３７が光ビームの光路から退避するよう、ミラー駆動部３９を制御する。これにより、光ピックアップ２６を側方から見た図８に示すように、コリメータレンズ３５からの光ビームは、第２の立上ミラー４０によって反射されて上方（すなわちＨＤ−ＤＶＤ１００Ｂ方向）に立ち上げられ、１／４波長板４１に入射する。
【００５２】
１／４波長板４１は、第２の立上ミラー４０からの光ビームをＰ偏光から円偏光へと変換して、ＨＤ−ＤＶＤ用の対物レンズ２８Ｂに入射する。
【００５３】
この対物レンズ２８Ｂは、ＨＤ−ＤＶＤに適応した焦点距離及び開口数を有しており、入射した光ビームを集光して、ＨＤ−ＤＶＤ１００Ｂの記録面に合焦させるとともに、当該記録面で反射された反射光ビームを受光し、１／４波長板４１に再入射させる。
【００５４】
１／４波長板４１は、反射光ビームを円偏光から往路とは直交するＳ偏光へと変換し、第２の立上ミラー４０を介してコリメータレンズ３５に入射する。コリメータレンズ３５は、反射光ビームを平行光から収束光へと変換し、偏光ビームスプリッタ３４に入射する。
【００５５】
上述したように、偏光ビームスプリッタ３４の偏光光学膜面３４Ａ（図６）は、Ｐ偏光を反射するとともにＳ偏光を透過するようにその光学的特性が定められていることから、偏光ビームスプリッタ９は、Ｓ偏光でなる反射光ビームを透過し、マルチレンズ４３を介して光検出器４４に照射する。
【００５６】
そして光検出器４４は、ＨＤ−ＤＶＤ１００Ｂからの反射光ビームの光量に応じて再生信号やエラー信号等の各種検出信号を生成し、光ディスク装置２０の信号処理部２３（図４）に出力する。
【００５７】
かくして光ピックアップ２６は、使用する光ディスク１００の種別に応じて第１の立上ミラー３７を光路内に挿入又は退避させることにより、装着された光ディスク１００がブルーレイディスクである場合は、当該光ビームを第１の立上ミラー３７で立ち上げて対物レンズ２８Ａを介して照射し、装着された光ディスク１００がＨＤ−ＤＶＤである場合は、当該光ビームを第２の立上ミラー４０で立ち上げて対物レンズ２８Ｂを介して照射する。
【００５８】
ここで、図６からわかるようにこの光ピックアップ２６は、２つの対物レンズ２８Ａ及び２８Ｂに対し、当該対物レンズ２８Ａ及び２８Ｂの配列方向と同じ方向から光ビームを導入するとともに反射光ビームを取り出している。
【００５９】
従ってこの光ピックアップ２６では、２つの対物レンズ２８Ａ及び２８Ｂを図２に示したタンジェンシャル配列にした上で、光ビームをこれら対物レンズ２８Ａ及び２８Ｂに対してタンジェンシャル入射することができる。
【００６０】
（３）動作及び効果
以上の構成において、この光ピックアップ２６では、光ビームを立ち上げてそれぞれ対応する対物レンズ２８Ａ及び２８Ｂに入射させる第１の立上ミラー３７及び第２の立上ミラー３７を、それぞれの反射面が光ビームの入射元となる偏光ビームスプリッタ３４に向くよう直列に配列した。
【００６１】
そして、第２の立上ミラー３７と偏光ビームスプリッタ３４との間の光路上に位置する第２の立上ミラー３７をミラー駆動部３９に搭載し、使用する光ディスク１００の種別に応じて当該第１の立上ミラー３７を光路内に挿入又は退避させるようにした。
【００６２】
従ってこの光ピックアップ２６では、２つの対物レンズ２８Ａ及び２８Ｂに対し、その配列方向と同じ方向から光ビームを導入及び反射光ビームを取り出すことができ、対物レンズ２８Ａ及び２８Ｂを光ディスクの半径方向に直角なタンジェンシャル配列にした上で、光ビームをこれら対物レンズ２８Ａ及び２８Ｂに対してタンジェンシャル入射することができる。
【００６３】
そして、対物レンズ２８Ａ及び２８Ｂをタンジェンシャル配列にすることにより、光ディスク装置２０全体の部品配置を合理化できるとともに、対物レンズをラジアル配列した場合に比べて光ピックアップ２６のスレッド移動ストロークに必要な領域を削減して、光ディスク装置２０全体を小型化できる。
【００６４】
また、対物レンズ２８Ａ及び２８Ｂに対して光ビームを導入する方向を、対物レンズの配列と同方向入射となるタンジェンシャル入射とすることにより、当該対物レンズ２８Ａ及び２８Ｂを保持するレンズホルダ４５（図６）における、光ビームを導入するための開口部の開口面積を、直角入射の場合に比べて削減して当該レンズホルダ４５の剛性を高めることができる。
【００６５】
さらに、対物レンズ２８Ａ及び２８Ｂに対する光ビーム及び反射光ビームの光路を、第１の立上ミラー３７を光路内に挿入又は退避させて切り替えることにより、レーザダイオード３１から出射された光ビームのほぼ全てを対物レンズ２８Ａ又は２８Ｂに導くことができ、従来の偏光制御素子及び偏光ビームスプリッタを用いた光路切替方法に比べて、光ビームの利用効率を高めることができる。
【００６６】
以上の構成によれば、光ビーム及び反射光ビームの光路内に第１の立上ミラー３７を挿入又は退避させて、対物レンズ２８Ａ及び２８Ｂに対する光路を切り替えるようにしたことにより、光ビームの利用効率を高めることができるとともに、レンズホルダ４５に対する光ビームの導入方向を対物レンズの配列と同方向入射として当該レンズホルダ４５の剛性を高めることができ、さらに、対物レンズ２８Ａ及び２８Ｂをタンジェンシャル配列したことで光ディスク装置２０全体を小型化することができ、かくして、簡易かつ小型な構成で、高い光ビームの利用効率を有する、同一波長の光ビームを用いる複数種類の光ディスクに対応した光ピックアップ及び光ディスクドライブを実現することができる。
【００６７】
（４）他の実施の形態
なお上述の実施の形態においては、前段の第１の立上ミラー３７からブルーレイディスク用の対物レンズ２８Ａに光ビームを導くとともに、後段の第２の立上ミラー４０からＨＤ−ＤＶＤ用の対物レンズ２８Ｂに光ビームを導くようにしたが、本発明はこれに限らず、対物レンズの配列を逆にして、前段の第１の立上ミラー３７からＨＤ−ＤＶＤ用の対物レンズに光ビームを導くとともに、後段の第２の立上ミラー４０からブルーレイディスク用の対物レンズに光ビームを導くようにしてもよい。
【００６８】
また上述の実施の形態においては、第１の立上ミラー３７をミラー駆動部３９によって回動駆動することにより、当該第１の立上ミラー３７を光路内に挿入又は退避させて、光ビームを対物レンズ２８Ａ又は２８Ｂに導くようにしたが、本発明はこれに限らず、第１の立上ミラー３７を光路に対して直角に移動させて光路内に挿入又は退避させるようにしてもよい。
【００６９】
さらに上述の実施の形態においては、ミラー駆動部３９によって第１の立上ミラー３７を光路内に挿入又は退避させて、光ビームを対物レンズ２８Ａ又は２８Ｂに導くようにしたが、本発明はこれに限らず、一の立上ミラーを光ビームの光軸上で移動させて、当該光ビームを対物レンズ２８Ａ又は２８Ｂに導くようにしてもよい。
【００７０】
すなわち、図７との対応部分に共通符号を付して示す図９は、このような構成の光ピックアップ５０を示し、立上ミラー５１を一つのみ有することと、ミラー駆動部５２が、当該立上ミラー５１を偏光ビームスプリッタ３４からの光ビームの光軸上で移動させること以外は、図７に示す光ピックアップ２６と同一の構成を有している。
【００７１】
ブルーレイディスクに対する記録又は再生の際、光ディスク装置の制御部（図示せず）は、立上ミラー５１がブルーレイディスク用の対物レンズ２８Ａの光軸上に位置するよう、ミラー駆動部５２を制御する。これにより、コリメータレンズ３５からの光ビームは立上ミラー５１によって対物レンズ２８Ａ方向に立ち上げられ、１／４波長板３８を介して当該対物レンズ２８Ａに入射する。
【００７２】
対物レンズ２８Ａは入射した光ビームを集光し、ブルーレイディスク１００Ａの記録面に合焦させるとともに、当該記録面で反射された反射光ビームを受光し、１／４波長板３８及び立上ミラー３７を順次介してコリメータレンズ３５に入射する。コリメータレンズ３５は、反射光ビームを平行光から収束光へと変換し、偏光ビームスプリッタ３４及びマルチレンズ４３を介して光検出器４４に照射する。
【００７３】
一方、ＨＤ−ＤＶＤに対する記録又は再生の際、光ディスク装置の制御部（図示せず）は、立上ミラー５１がＨＤ−ＤＶＤ用の対物レンズ２８Ｂの光軸上に位置するよう、ミラー駆動部５２を制御する。これにより、コリメータレンズ３５からの光ビームは立上ミラー５１によって対物レンズ２８Ｂ方向に立ち上げられ、１／４波長板４１を介して当該対物レンズ２８Ｂに入射する。
【００７４】
対物レンズ２８Ｂは入射した光ビームを集光し、ＨＤ−ＤＶＤ１００Ｂの記録面に合焦させるとともに、当該記録面で反射された反射光ビームを受光し、１／４波長板４１及び立上ミラー５１を順次介してコリメータレンズ３５に入射する。コリメータレンズ３５は、反射光ビームを平行光から収束光へと変換し、偏光ビームスプリッタ３４及びマルチレンズ４３を介して光検出器４４に照射する。
【００７５】
このような構成の光ピックアップ５０においても、従来に比べて光ビームの利用効率を高めることができるとともに、レンズホルダ４５に対する光ビームの導入方向を対物レンズの配列と同方向入射として当該レンズホルダ４５の剛性を高めることができ、さらに、対物レンズ２８Ａ及び２８Ｂをタンジェンシャル配列したことで光ディスク装置２０全体を小型化することができ、かくして、簡易かつ小型な構成で、高い光ビームの利用効率を有する、同一波長の光ビームを用いる複数種類の光ディスクに対応した光ピックアップ及び光ディスクドライブを実現することができる。
【００７６】
さらに上述の実施の形態においては、同一波長のレーザ光を用いるブルーレイディスク及びＨＤ−ＤＶＤの２方式に対応した光ディスク装置２０に本発明を適用した場合について述べたが、本発明はこれに限らず、この他種々の同一波長のレーザ光を用いる複数種類の光ディスクに対応した光ディスク装置や、さらには、それぞれ異なる波長のレーザ光を用いる複数種類の光ディスクに対応した光ディスク装置にも本発明を適用することができる。
【産業上の利用可能性】
【００７７】
本発明は、複数種類の光ディスクに対応した光ディスク装置に適用できる。
【図面の簡単な説明】
【００７８】
【図１】対物レンズのラジアル配列の説明に供する略線図である。
【図２】対物レンズのタンジェンシャル配列の説明に供する略線図である。
【図３】入射方向に応じたレンズホルダ形状の説明に供する略線図である。
【図４】従来の光ピックアップの構成を示す略線図である。
【図５】光ディスク装置の全体構成を示すブロック図である。
【図６】本発明による光ピックアップの構成を示す略線図である。
【図７】ブルーレイディスク使用時における光路の説明に供する略線図である。
【図８】ＨＤ−ＤＶＤ使用時における光路の説明に供する略線図である。
【図９】他の実施の形態の光ピックアップの構成を示す略線図である。
【符号の説明】
【００７９】
１、２６、５０……光ピックアップ、２、４５……レンズホルダ、２０……光ディスク装置、２１……制御部、２２……駆動部、２３……信号処理部、２４……スピンドルモータ、２５……スレッドモータ、２７……２軸アクチュエータ、２８……対物レンズユニット、２８Ａ……ブルーレイディスク用対物レンズ、２８Ｂ……ＨＤ−ＤＶＤ用対物レンズ、３１……レーザダイオード、３２……回折素子、３３……１／２波長板、３４……偏光ビームスプリッタ、３５……コリメータレンズ、３７……第１の立上ミラー、３８、４１……１／４波長板、３９、５２……ミラー駆動部、４０……第２の立上ミラー、４３……マルチレンズ、４４……光検出器、５１……立上ミラー。
【図１】
2008130183.tif 000003
【図２】
2008130183.tif 000004
【図３】
2008130183.tif 000005
【図４】
2008130183.tif 000006
【図５】
2008130183.tif 000007
【図６】
2008130183.tif 000008
【図７】
2008130183.tif 000009
【図８】
2008130183.tif 000010
【図９】
2008130183.tif 000011